(57)【要約】  移動受信のためのビデオマップを作成する方法および装置であって、基地局にもっとも近い関心のポイントを有する領域のビデオマップを作成すること、および、専用のチャンネルを介してビデオマップを繰り返し送ることを含む方法および装置を記載する。また、移動受信のためのビデオマップを受信する方法およびシステムであって、専用のチャンネルに合わせること、および専用のチャンネルを介してビデオマップを受信することを含む方法およびシステムを記載する。最後に、関心のポイントに関する位置を決定する方法および装置であって、専用のチャンネルを介してビデオマップを受信すること、Ｍｏｖｉｎｇ  ＪＰＥＧ画像をビデオマップに重ねること、および車両移動をビデオマップに追跡記録することを含む方法および装置を記載する。
2010508699.tif 000002
【特許請求の範囲】
【請求項１】
移動受信のためのビデオマップを作成する方法であって、
基地局にもっとも近い関心のポイントを有する領域の前記ビデオマップを作成するステップと、
専用のチャンネルを介して前記ビデオマップを繰り返し送るステップと
を含むことを特徴とする方法。
【請求項２】
前記ビデオマップは、前記ビデオマップのカテゴリーおよびサブカテゴリーの１つを含むことを特徴とする請求項１に記載の方法。
【請求項３】
前記基地局にもっとも近い前記関心のポイントに関する情報を集めるステップをさらに含むことを特徴とする請求項１に記載の方法。
【請求項４】
前記ビデオマップを格納するステップをさらに含むことを特徴とする請求項１に記載の方法。
【請求項５】
前記ビデオマップの前記カテゴリーおよび前記サブカテゴリーの１つを要求するユーザー命令を受信するステップと、
前記要求された前記ビデオマップの前記カテゴリーおよび前記サブカテゴリーの１つを送るために、別の専用のチャンネルに切り替えるステップと
をさらに含むことを特徴とする請求項２に記載の方法。
【請求項６】
前記専用のチャンネルは、マルチキャストであることを特徴とする請求項１に記載の方法。
【請求項７】
移動受信のためのビデオマップを受信する方法であって、
専用のチャンネルに合わせるステップと、
前記専用のチャンネルを介して前記ビデオマップを受信するステップと
を含むことを特徴とする方法。
【請求項８】
前記ビデオマップのカテゴリーおよびサブカテゴリーの１つに対する要求を送るステップと、
前記要求された前記ビデオマップの前記カテゴリーおよび前記サブカテゴリーの１つを受信するために、別の専用のチャンネルに合わせるステップと
をさらに含むことを特徴とする請求項７に記載の方法。
【請求項９】
前記専用のチャンネルは、マルチキャストであることを特徴とする請求項７に記載の方法。
【請求項１０】
移動受信のためのビデオマップを作成するシステムであって、
基地局にもっとも近い関心のポイントを有する領域の前記ビデオマップを作成する手段と、
専用のチャンネルを介して前記ビデオマップを繰り返し送る手段と
を備えたことを特徴とするシステム。
【請求項１１】
前記ビデオマップは、前記ビデオマップのカテゴリーおよびサブカテゴリーの１つを含むことを特徴とする請求項１０に記載のシステム。
【請求項１２】
前記基地局にもっとも近い前記関心のポイントに関する情報を集める手段をさらに備えたことを特徴とする請求項１０に記載のシステム。
【請求項１３】
前記ビデオマップを格納する手段をさらに備えたことを特徴とする請求項１０に記載のシステム。
【請求項１４】
前記ビデオマップの前記カテゴリーおよび前記サブカテゴリーの１つを要求するユーザー命令を受信する手段と、
前記要求された前記ビデオマップの前記カテゴリーおよび前記サブカテゴリーの１つを送るために、別の専用のチャンネルに切り替える手段と
をさらに備えたことを特徴とする請求項１１に記載のシステム。
【請求項１５】
移動受信のためのビデオマップを受信する装置であって、
専用のチャンネルに合わせる手段と、
前記専用のチャンネルを介して前記ビデオマップを受信する手段と
を備えたことを特徴とする装置。
【請求項１６】
前記ビデオマップのカテゴリーおよびサブカテゴリーの１つに対する要求を送る手段と、
前記要求された前記ビデオマップの前記カテゴリーおよび前記サブカテゴリーの１つを受信するために、別の専用のチャンネルに合わせる手段と
をさらに備えたことを特徴とする請求項１５に記載の装置。
【請求項１７】
前記合わせる手段および前記受信する手段は、インターネットＳＴＢであることを特徴とする請求項１６に記載の装置。
【請求項１８】
関心のポイントに関する位置を決定する方法であって、
専用のチャンネルを介してビデオマップを受信するステップと、
Ｍｏｖｉｎｇ  ＪＰＥＧ画像を前記ビデオマップに重ねるステップと、
車両移動を前記ビデオマップに追跡記録するステップと
を含むことを特徴とする方法。
【請求項１９】
前記ビデオマップは、ブラウザーページとして受信されることを特徴とする請求項１８に記載の方法。
【請求項２０】
前記移動の追跡記録は、基地局のＳＮＲを使用した三角測量を介すことを特徴とした請求項１８に記載の方法。
【請求項２１】
前記移動の追跡記録は、携帯受信機のＧＰＳリンクを介すことを特徴とした請求項１８に記載の方法。
【請求項２２】
関心のポイントに関する位置を決定する装置であって、
専用のチャンネルを介してビデオマップを受信する手段と、
Ｍｏｖｉｎｇ  ＪＰＥＧ画像を前記ビデオマップに重ねる手段と、
車両移動を前記ビデオマップに追跡記録する手段と
を備えたことを特徴とする装置。
【発明の詳細な説明】
【技術分野】
【０００１】
本発明は、専用のマップチャンネル（dedicated map channel）の基地局の周りの領域のビデオマップに関する。
【背景技術】
【０００２】
幹線道路に沿ってどのような施設があるかを判断する唯一の方法は、例えば、幹線道路に沿った出口標識によるが、出口ですべての施設をカバーすることはできず、かつ、標識は、通常出口に近いため、情報に基づく決定を安全に行うことができない。同じことが、市街道路、特に知られていない都市または地域にも当てはまる。
【発明の概要】
【０００３】
ある地域を通って移動するとき、人は、ある位置までの道順を必要とするかもしれないし、または、ただ停止して食事をしたい、またはガソリンタンクを満タンにしたいかもしれない。本発明は、自動車において、ハンドヘルドの携帯電話またはセルモデム（cell modem）に接続されたＩＰ−ＳＴＢ（internet protocol set-top box）に映像を受信するチャンネルを提供する。チャンネルは、基地局の位置および基地局の周りの関心領域を提供する。マップチャンネルは常に同一であるため、マップは、セル（cell）が変わる間も表示されるが、マップは、新しい基地局の方に変わりうる。関心のポイントまたは関心の場所は、レストラン、ガソリンスタンド、休憩施設（歓迎施設）、博物館、ホテル／モーテル、ショッピングモール、関心のポイント、店、などを含むことができる。人が移動している領域は、都市、町または任意の他の領域とすることができる。
【０００４】
マップは、提供された情報の制限に合わせることが可能である。例えば、キー入力またはメニュー選択は、単にレストラン、または単に博物館を提供し、過密地域のビデオマップでは、より簡単に読みやすくすることが可能である。マップは、さらにカテゴリーの中で調整することが可能である。例えば、「ガソリンスタンド」カテゴリーが選択されると、ユーザーは、主要なブランドの中から選択することができ、またはあまり知られていないブランドを含みうる「その他」の中から選択することが可能である。同様に、レストランに関して、サブカテゴリーは、「チェーン店」、「エスニック」、「地元料理」などを含むことが可能である。これは、都市または非常に密集している地域において、より読みやすい／使いやすいビデオマップを作るのに特に有用であろう。農村地域または幹線道路においては、すべての関心のポイントを表示することが可能である。
【０００５】
移動受信（mobile reception）のためのビデオマップを作成する方法および装置であって、基地局にもっとも近い関心のポイントを有する領域のビデオマップを作成すること、および、専用のチャンネルを介してビデオマップを繰り返し送ることを含む方法および装置について説明する。また、移動受信のためのビデオマップを受信する方法およびシステムであって、専用のチャンネルに合わせること、および専用のチャンネルを介してビデオマップを受信することを含む方法およびシステムについて説明する。最後に、関心のポイントに関する位置を決定する方法および装置であって、専用のチャンネルを介してビデオマップを受信すること、Ｍｏｖｉｎｇ  ＪＰＥＧ画像をビデオマップに重ねること、および車両移動をビデオマップに追跡記録することを含む方法および装置について説明する。
【図面の簡単な説明】
【０００６】
本発明は、以下の詳細な説明を添付の図面とともに読むことにより、最も理解される。図面は、以下に簡潔に記載した図を含む。
【図１】本発明の原則に従ってビデオマップを提供するシステムのブロック図である。
【図２ａ】ＰＣ／プロセッサーの実施形態における操作のフローチャートである。
【図２ｂ】車での図２ａに対応する操作のフローチャートである。
【図３ａ】ＰＣ／プロセッサーの別の実施形態における操作のフローチャートである。
【図３ｂ】車での図３ａに対応する操作のフローチャートである。
【図４ａ】ＰＣ／プロセッサーのさらに別の実施形態における操作のフローチャートである。
【図４ｂ】車での図４ａに対応する操作のフローチャートである。
【発明を実施するための形態】
【０００７】
本発明は、専用のチャンネルを介して各基地局の領域のビデオマップを提供する。マップに含まれる関心の項目または関心のポイントは、通常の道路および線路に沿ったレストラン、ガソリンスタンド、店、ショッピングモール、博物館、ホテル／モーテルなどとすることが可能である。ビデオマップおよび専用のチャンネルを提供するコストは、関心のポイントがマップに含まれる自身の施設に対して代金を支払うことにより、埋め合わせることが可能である。ビデオマップは、およそ１０マイルの基地局のサービスエリアにある。
【０００８】
ビデオマップは、Ｖｉｓｉｏ（登録商標）などの任意の描画プログラムを用いて作成される。ビデオマップは、基地局の周辺の領域について作成される。マップは次に、ＪＰＥＧ画像（またはＭｏｔｉｏｎ  ＪＰＥＧ）として保存される。画像は次に、基地局ベース（cell tower base）に位置するコンピューターに配置される。画像は、ＭＰＥＧ−２トランスポートストリームの内部にＭＰＥＧ−２ビデオとして繰り返し表示される。ＭＰＥＧ−２  ＴＳは次に、ＩＰ（Internet Protocol）ストリームの中に入れられ、周知の専用のマルチキャスト／ブロードキャストチャンネルで伝えられる。ＩＰストリームは、セルラー周波数に変換するセルラーＤＳＬ（digital subscriber line）モデムに送られ、適切な信号法（ＴＤＭＡ（time division multiple access）、ＣＤＭＡ（code division multiple access）、ＧＳＭ（global system for mobile communications）、ＣＯＦＤＭ（Coded Orthogonal Frequency Division Multiplexing）など）で送られる。携帯機器は次に、自動車（またはハンドヘルドの携帯電話）において、ＩＰ−ＳＴＢを介してＩＰストリームを受信して、ＩＰストリームを復号し、携帯機器表示装置に表示させることが可能である。
【０００９】
マップは、基地局の周りのすべての施設を含むことが可能であり、またはビデオマップは、ユーザーによって調整され、あるカテゴリーの関心のポイントのみを表示することが可能である。ビデオマップは、カテゴリー（レストラン、ホテル／モーテル、ガソリンスタンド、博物館など）によって調整されることが可能であり、カテゴリーの中でサブカテゴリーによって調整されることが可能である。複合ビデオマップは、各基地局から送られることが可能であり、サブカテゴリービデオマップは、例えば、別のチャンネルの使用またはメニューのクリックまたはキーパッド上のキーストロークの組み合わせなどを含む複数のユーザーインターフェース方式（user interface method）によって呼び出され／要求されることが可能である。
【００１０】
別の実施形態では、マップは、マルチキャストチャンネルを介してＩＰ−ＳＴＢに送られたＨＴＭＬページとすることが可能である。ＩＰ−ＳＴＢは次に、現在位置のＭｏｖｉｎｇ  ＪＰＥＧ画像をＨＴＭＬマップに重ねる。Ｍｏｖｉｎｇ  ＪＰＥＧは次に、基地局のＳＮＲを使用した三角測量（三角測量のための基地局の位置をＨＴＭＬページで送ることができる）または携帯受信機のＧＰＳリンクの使用を介して車の動きを追跡記録する。ユーザーの携帯電話がＢｌｕｅ  ｔｏｏｔｈ（登録商標）などのＩＰ技術を有する場合、携帯電話は、マルチキャストチャンネルに接続することが可能であり、ＩＰ−ＳＴＢの必要はなくなる。
【００１１】
図１を参照すると、基地局１０５は、電話局側のセルラーＤＳＬモデム１１０と通信し、電話局側のセルラーＤＳＬモデム１１０は、繰り返しマルチキャストされるビデオマップをＪＰＥＧ、Ｍｏｔｉｏｎ  ＪＰＥＧまたはＨＴＭＬ画像として格納するＰＣ（personal computer）／プロセッサー１１５と通信している。ビデオマップを繰り返しマルチキャストすることは、また、複数のビデオマップ（カテゴリービデオマップおよびサブカテゴリービデオマップ）を繰り返しマルチキャストすることも可能であることを意味することを意図する。代替の実施形態では、カテゴリービデオマップおよびサブカテゴリービデオマップは、別の専用のチャンネルを介して送られることが可能である。カテゴリービデオマップおよびサブカテゴリービデオマップは、ＰＣ／プロセッサーに格納されることも可能であり、または、ＰＣ／プロセッサーでＰＣ／プロセッサーによって、ユーザーの命令に応答して作成されることが可能である。
【００１２】
プロセッサーは、基地局または電話局にもっとも近く位置するものとすることが可能である。プロセッサーが基地局にもっとも近い場合、その基地局のマップを作成するだけでよく、電話局への中継が必要とされないので、通信はより速い。プロセッサーがすべての基地局のための電話局にある場合、基地局タグ（cell tower tag）を電話局に中継し、マップを送らなければならない。要求（チャンネル変化）を電話局に送り返されなければならないので、最新情報の遅延を招くだろう。これは長時間の遅延ではないが、それでも遅れである。チャンネル変化の通常の遅延は、最大２秒までとすることが可能である（ＭＰＥＧ画像はどの程度コード化されるかに依存）。これは、可能性がある追加の０．５秒を加えるだろう（電話局で手渡されたセル交換トラフィック（cell switching traffic）にさらに依存）。
【００１３】
セルを通じた車１２０の走行は、そのセルのビデオマップを受信するために専用のビデオマップチャンネルに合わせる。図１に示される一実施形態では、ＤＳＬセルラーモデム１３０、ＩＰ−ＳＴＢ１３５およびビデオディスプレイ１４０を含む車１２５の内部にディスプレイがある。ＤＳＬセルラーモデム１３０は、ＰＣ／プロセッサー１１５によって送られたビデオマップデータを車１２０のセルアンテナから受信する。ビデオマップデータは、ＤＳＬセルラーモデム１３０によって復調され、ビデオディスプレイ１４０に表示するためにＩＰ−ＳＴＢ１３５に提供される。ビデオマップデータは、セルまたはカテゴリービデオマップデータ、またはユーザー命令に応答して選択されたサブカテゴリービデオマップの範囲内に位置するすべての関心のポイントを含む全般的なビデオマップである。
【００１４】
図２ａは、ＰＣ／プロセッサーの実施形態における操作のフローチャートである。符号２０５で、基地局の範囲内の関心のポイントに関する情報を、収集し／集め／入力する。符号２１０で、ビデオマップを、基地局の範囲内の領域について作成する。ビデオマップは、ビデオマップのカテゴリーおよびサブカテゴリーを含む。符号２１５で、ビデオマップを格納し、符号２２０で、専用のチャンネルを介して繰り返し送る。送信は、適切な信号法を使用したマルチキャストである基地局に、ビデオマップ情報を転送することによって達成される。
【００１５】
図２ｂは、車での図２ａに対応する操作のフローチャートである。符号２２５で、ＤＳＬセルラーモデムを、専用のビデオマップチャンネルに合わせる。符号２３０で、ビデオマップを受信する。カテゴリービデオマップおよびサブカテゴリービデオマップを、別の専用のチャンネルを介して受信することができる。
【００１６】
図３ａは、ＰＣ／プロセッサーの別の実施形態における操作のフローチャートである。符号３０５で、基地局の範囲内の関心のポイントに関する情報を、収集し／集め／入力する。符号３１０で、ビデオマップを、基地局の範囲内の領域について作成する。ビデオマップは、ビデオマップのカテゴリーおよびサブカテゴリーを含む。符号３１５で、ビデオマップを格納する。符号３２０で、カテゴリービデオマップまたはサブカテゴリービデオマップに関するユーザー命令を受信する。符号３２５で、別の送信チャンネルを選択し、切り替える。符号３３０で、格納されたビデオカテゴリーマップまたはビデオサブカテゴリーマップを、選択された専用のチャンネルを介して繰り返し送る。
【００１７】
図３ｂは、車での図３ａに対応する操作のフローチャートである。符号３３５で、ＤＳＬセルラーモデムを、専用のビデオマップチャンネルに合わせる。符号３４０で、ビデオマップを受信する。カテゴリービデオマップおよびサブカテゴリービデオマップを、別の専用のチャンネルを介して受信することができる。符号３４５で、ＤＳＬセルラーモデムは、ビデオカテゴリーマップまたはビデオサブカテゴリーマップを要求するユーザー命令／メッセージを送る。符号３５０で、車中のＤＳＬセルラーモデムは、選択されたビデオカテゴリーマップまたはビデオサブカテゴリーマップを受信するために、別の専用のチャンネルに合わせる。
【００１８】
図４ａは、ＰＣ／プロセッサーのさらに別の実施形態における操作のフローチャートである。符号４０５で、基地局の範囲内の関心のポイントに関する情報を、収集し／集め／入力する。符号４１０で、ビデオマップまたはＨＴＭＬマップを、必要に応じて隣の２つの近い基地局を含む基地局の範囲内の領域について作成する。ビデオマップは、ビデオマップのカテゴリーおよびサブカテゴリーを含む。符号４１５で、ビデオマップ、および、カテゴリーマップないしはサブカテゴリーマップを格納する。符号４２０で、カテゴリービデオマップまたはサブカテゴリービデオマップに関するユーザー命令を受信する。符号４２５で、別の送信チャンネルを選択し、切り替える。符号４３０で、格納されたビデオカテゴリーマップまたはビデオサブカテゴリーマップを、選択された専用のチャンネルを介して繰り返し送る。
【００１９】
図４ｂは、車での図４ａに対応する操作のフローチャートである。符号４３５で、ＤＳＬセルラーモデムを、専用のビデオマップチャンネルに合わせる。必要に応じて、他の基地局に関する情報を受信する。符号４４０で、ビデオマップを受信し、基地局のＳＮＲを計算する。妥当な場合、ＧＰＳを使用し現在の位置を確認する。カテゴリービデオマップおよびサブカテゴリービデオマップを、別の専用のチャンネルを介して受信することができる。符号４４５で、ＤＳＬセルラーモデムは、ビデオカテゴリーマップまたはビデオサブカテゴリーマップを要求するユーザー命令／メッセージを送る。符号４５０で、車中のＤＳＬセルラーモデムは、選択されたビデオカテゴリーマップまたはビデオサブカテゴリーマップを受信するために、別の専用のチャンネルに合わせて、計算された位置のＭｏｖｉｎｇ  ＪＰＥＧ画像を含むようにＨＴＭＬページをフォーマットする。符号４５５で、マップを、出力／ディスプレイデバイスに表示する。
【００２０】
本発明を、ハードウェア、ソフトウェア、ファームウェア、専用プロセッサーまたはそれらの組み合わせのさまざまな形態において実施することができると理解されるべきである。望ましくは、本発明は、ハードウェアおよびソフトウェアの組み合わせとして実施される。さらに、ソフトウェアは、望ましくは、プログラム記憶装置に明白に統合されたアプリケーションプログラムとして実施される。アプリケーションプログラムを、任意の適切なアーキテクチャーを備える機械にアップロードし、実行することができる。望ましくは、機械は、１つまたは複数のＣＰＵ（central processing units）、ＲＡＭ（random access memory）およびＩ／Ｏ（input／output）インターフェースなどのハードウェアを有するコンピュータープラットフォームで実施される。コンピュータープラットフォームは、オペレーティング・システムおよびマイクロ命令コードも含む。本明細書で記載されたさまざまなプロセスおよび機能は、マイクロ命令コードの一部またはアプリケーションプログラムの一部（またはそれらの組み合わせ）とすることができ、オペレーティング・システムを介して実行される。加えて、さまざまな他の周辺機器を、追加のデータ記憶装置および印刷デバイスなどのコンピュータープラットフォームに接続することができる。
【００２１】
添付の図面に示された一部の構成システムコンポーネントおよび方法のステップは、望ましくはソフトウェアで実施されるので、システムコンポーネント（または工程段階）間の現実の接続は、本発明がプログラムされる方法に依存して異なることができることが、さらに理解されるべきである。本明細書の教示を所与として、当業者は、これらの実施および同等の実施または本発明の形態を検討することができるだろう。
【図１】
2010508699.tif 000003
【図２ａ】
2010508699.tif 000004
【図２ｂ】
2010508699.tif 000005
【図３ａ】
2010508699.tif 000006
【図３ｂ】
2010508699.tif 000007
【図４ａ】
2010508699.tif 000008
【図４ｂ】
2010508699.tif 000009
【手続補正書】
【提出日】平成21年10月28日(2009.10.28)
【手続補正１】
【補正対象書類名】特許請求の範囲
【補正対象項目名】請求項１
【補正方法】変更
【補正の内容】
【請求項１】
移動受信のためのビデオマップを作成する方法であって、
基地局にもっとも近い関心のポイントを有する領域の前記ビデオマップを作成するステップと、
専用のチャンネルを介して前記ビデオマップを送るステップと
を含むことを特徴とする方法。
【手続補正２】
【補正対象書類名】特許請求の範囲
【補正対象項目名】請求項１０
【補正方法】変更
【補正の内容】
【請求項１０】
移動受信のためのビデオマップを作成するシステムであって、
基地局にもっとも近い関心のポイントを有する領域の前記ビデオマップを作成する手段と、
専用のチャンネルを介して前記ビデオマップを送る手段と
を備えたことを特徴とするシステム。
【手続補正３】
【補正対象書類名】明細書
【補正対象項目名】０００５
【補正方法】変更
【補正の内容】
【０００５】
移動受信（mobile reception）のためのビデオマップを作成する方法および装置であって、基地局にもっとも近い関心のポイントを有する領域のビデオマップを作成すること、および、専用のチャンネルを介してビデオマップを送ることを含む方法および装置について説明する。また、移動受信のためのビデオマップを受信する方法およびシステムであって、専用のチャンネルに合わせること、および専用のチャンネルを介してビデオマップを受信することを含む方法およびシステムについて説明する。最後に、関心のポイントに関する位置を決定する方法および装置であって、専用のチャンネルを介してビデオマップを受信すること、Ｍｏｖｉｎｇ  ＪＰＥＧ画像をビデオマップに重ねること、および車両移動をビデオマップに追跡記録することを含む方法および装置について説明する。
【手続補正４】
【補正対象書類名】明細書
【補正対象項目名】００１２
【補正方法】変更
【補正の内容】
【００１２】
プロセッサーは、基地局または電話局にもっとも近く位置するものとすることが可能である。プロセッサーが基地局にもっとも近い場合、その基地局のマップを作成するだけでよく、電話局への中継が必要とされないので、通信はより速い。プロセッサーがすべての基地局のための電話局にある場合、基地局タグ（cell tower tag）を電話局に中継し、マップを送らなければならない。要求（チャンネル変化）を電話局に送り返されなければならないので、最新情報の遅延を招くだろう。これは長時間の遅延ではないが、それでも遅れである。チャンネル変化の通常の遅延は、最大２秒までとすることが可能である（ＭＰＥＧ画像はどの程度コード化されるかに依存）。これは、可能性がある追加の０．５秒を加えるだろう（電話局で扱われるセル交換トラフィック（cell switching traffic）にさらに依存）。
【国際調査報告】
2010508699.tif 000010
2010508699.tif 000011